(57)【要約】      （修正有）【課題】Ｖプーリー溝の磨耗を誰でも簡単に判断・計測ができ、Ｖプーリーの溝の磨耗の経過を記録保存できるＶプーリー溝磨耗測定シートを提供する。【解決手段】Ｖプーリー２４の形状と逆の形状に切りぬいたシート１１を両側面に挟み込むように嵌め込み、磨耗したＶプーリー２４の溝の隙間に測定棒を差し込み、隙間の計測を行い数値をグラフ化し、管理体制を整え誰でも磨耗状態や磨耗進行状態がわかるようにする。【選択図】図６
2014032165.tif 000002
【特許請求の範囲】
【請求項１】
伝道用Ｖプーリーは建築ビルや建造物や工場などの空調設備に多く使われ換気や冷暖房に欠かせない機械部品で、使用する時間や条件で徐々にＶベルトとの摩擦で磨り減って、Ｖプーリーの溝が設計の寸法と異なってきて、Ｖベルトの緩みも進みＶプーリーとＶベルトのスリップ現象が発生て、ＣＯ２を放出し、節電や省エネに反して空調設備などの換気に利用している機器の風量や静圧や回転数など変化が発生し、消費電力が上昇している為に、Ｖプーリーの溝の磨耗状態を適正に測定などの管理をする事で節電や省エネ効果など、ＣＯ２の削減に貢献することが出来るＶプーリー溝磨耗測定シート。
【請求項２】
Ｖプーリーの両側面にＶプーリー形状と正反対の形状のシートを切り抜きそれを嵌め込こむことでＶプーリーの両側面に固定され、Ｖプーリー溝磨耗シートと溝の磨耗したＶプーリーに生じた隙間を計測し数値で表示することが出来るＶプーリー溝磨耗測定シート。
【請求項３】
測定した数値と磨耗している場所をＶプーリー溝磨耗測定シートに記入し、そのＶプーリー溝磨耗測定シートに使用している機器の使用建物、使用目的、使用系統名、Ｖプーリーの型、点検した年月日などあらゆる情報を明記することが出来るＶプーリー溝磨耗測定シート。
【請求項４】
測定する隙間にあった計測棒を差し込み、隙間の寸法を計測した数字を表記できるＶプーリー溝磨耗測定シート。
【発明の詳細な説明】
【技術背景】
【０００１】Ｖプーリーの経年劣化による溝の磨耗現象を管理に対する方法がなく、現在では指先でさわり溝の磨耗状態を判断する為、正確な測定方法がない。
【０００２】Ｖプーリー溝の磨耗は、主に経年劣化が多く、いろんな機械は２４時間運転やタイマー運転され、停止や運転が毎日行われる機械は、駆動時のトルクが最も大きい為に、スリップ現象が発生し摩擦による発熱の状況が繰り返され、長時間運転をしていると、Ｖベルトの表面が硬化し、同時に伸びが発生し、Ｖベルトの劣化でＶプーリーの溝の磨耗が増大され、Ｖベルトを交換してもＶプーリーガ磨耗していると、新しいＶベルトに交換してもＶプーリーのの溝磨耗形状が曲型に変形している為、ＶベルトがＶプーリーになじまず、異常振動や異常音を発生し、軸受の劣化・羽根の破損・架台ボルトの緩み等の異常が発生し、運転を継続することで、Ｖベルトを新しく交換しても不均等なＶプーリーの接触面で異常摩擦が生じ急激な温度上昇による亀裂やＶベルトの破断が発生し、短期間で消費電力が増し、ＣＯ２の放出が増します。
【０００３】Ｖプーリー溝の磨耗検査方法は主に指先による触手で行い、経験豊富な熟練工による判断が求めら正確に数値で計測できることが出来ない。
【発明の概要】
【発明が解決使用とする課題】
【０００４】本発明は、次のような課題に対して、Ｖプーリーの溝磨耗状況を簡単で正確に計測し検査できることを目的とする。
【０００５】Ｖプーリーの溝の数だけそれぞれ摩耗を全体に把握できない。
【０００６】磨耗した数値を読み取ることが非常に困難で不可能な状況。
【０００７】Ｖプーリーの溝の摩耗は、左右対称に摩耗せず波を打つような曲型状態で削れて進行していく為、溝の磨耗の寸法が出せない。
【０００８】本発明はそれらの課題を解決し、だれでも簡単に正確に溝の磨耗しているの場所や、詳細な単位の測定が可能で、不可能だったＶプーリー磨耗の経年劣化状態を履歴として記録化しＶプーリーの交換時期の計画が出易くなりベアリングの破損やＶベルトの破断やＶプーリーとＶベルトの運転中のスリップをなくし消費電力の削減と、節電や省エネ効果に努めることが出来る。
【課題を解決使用とする手段】
【０００９】本発明は、Ｖプーリー溝磨耗測定シートをＶプーリーの形状ごとに測定シートを作り件名・系統名・使用Ｖプーリーの種類・形状・溝の磨耗場所及び磨耗数値ｍｍ・測定年月日などが記入できすべてのデーターの記録が書き入れて溝の磨耗の進行状況の履歴が管理しやすく誰でも簡単に把握でる。
【００１０】測定方法は、Ｖプーリー溝磨耗測定シートをＶプーリーの側面に嵌め込んみ、手で触れなくてもＶプーリー溝磨耗測定シートはＶプーリーに留まり、Ｖプーリーの溝の形状が逆形状でカットされており新品のＶプーリーだと隙間が空かない状態ですが、Ｖプーリーの溝の磨耗が進んだ面に嵌め込むと磨り減った場所が隙間として現れ、一度に全体のＶプーリーの溝の磨耗状態を把握し管理出来きる。
【００１１】Ｖプーリーの溝の隙間の位置と測定数値を測定シートの書き込みスペースに記入し、Ｖプーリー溝磨耗測定シートを嵌め込んだ状態で工事写真を撮り記録写真として管理及び報告書として提出し、Ｖプーリー溝磨耗測定シートはそれぞれの機械ごとにまとめて、磨耗履歴としてファイルにまとめ誰でもがＶプーリーの状態を把握でる。
【００１２】Ｖプーリーは曲型な溝の磨耗をする為、隙間を計測するのは非常に難しいが、計測棒で測定することでより正確に計測でき、溝の磨耗箇所の進んでいる位置を正確に残すことができる。
【発明の効果】
【００１３】Ｖプーリー溝磨耗測定シートを使用することで誰でも簡単に正確に数値で表示でき、Ｖプーリーの溝の磨耗の進行状況が把握でき省エネ対策に効果的である。
【００１４】計測棒は図５のように丸棒で、サイズ毎に色分けがしてあり、それぞれのサイズを色で確認出来る為、計測ミスをなくし簡単で正確に計測出来る。
【００１５】計測棒の太さは、０．５ｍｍ・０．８ｍｍ１．５ｍｍ・２．０ｍｍ・２．５ｍｍ・３．０ｍｍ・３．５ｍｍ・４．０ｍｍ・５．０ｍｍの色分けした棒を使用しする。
【図面の簡単な説明】
【００１６】
【図１】本発明の一般的な使用機器状態を表した図である。
【図２】新品のＶベルトがＶプーリー溝に装填している状態である。
【図３】Ｖプーリー溝の磨耗した部分の図である。
【図４】溝の磨耗した測定数値と摩耗箇所を記入する書き込み。
【図５】計測棒の数種類の内の１本の形状。
【図６】Ｖプーリー溝磨耗測定シートの使用状態である。
【発明を実施するための形態】
【００１７】本発明のＶプーリー溝磨耗測定シートは、いろいろな形状・種類のＶプーリーの両側面を挟み中間のそれぞれのＶプーリー溝のすべてを一度に測定し溝の磨耗管理が出来る。
【実施例】
【００１８】また、図５に示すように、溝の磨耗したＶプーリーにＶプーリー溝磨耗測定シートを嵌め込み溝の磨耗の場所、溝の変形など、度合を表示でき記録化し写真に残すことが出来る。
【産業上の利用可能性】
【００１９】Ｖプーリーは、すべての建築ビル・建造物・プラント工場・水力発電所・火力発電所・原子力発電所・公共施設などに多く用いられ、給気・排気・空調・冷暖房機など換気や空調に使われており、動力からのトルク伝達方法として広く利用され為、Ｖプーリーの溝の磨耗状況の管理は省エネ対策に関わってくる重要な点検項目のいとつに挙げられ、節電や省エネの効果、ＣＯ２の削減に貢献する為、産業上の利用可能性が非常に高い。
【符号の説明】
【００２０】１  ファン
２  モーター
３  ファンＶプーリー
４  Ｖベルト
５  モーターＶプーリー
６  ファン架台
７  ＶベルトとＶプーリーが接触する箇所
８  Ｖプーリーの溝底面
９  Ｖプーリーの溝の磨耗して削れ変形した場所
１０  Ｖプーリーの溝の磨耗したＶプーリー
１１  Ｖプーリー溝磨耗測定シート。
１２  計測棒先端部分で塗装無
１３  計測棒の半分より握り側の塗装部分
１４  寸法の表示
１５  寸法の違う計測棒を一つにまとめて輪で止めておく穴。
１６  件名・ビル名・プラント工場名の記入欄。
１７  系統・Ｖプーリーを使用している機器の系統名の記入欄。
１８  使用・機器のモーター側及びファン側の記入欄。
１９  Ｖプーリー記号の品名と種類の記入棡。
２０  測定の年月日を記入する記入欄。
２１  Ｖプーリーの側面にシートを嵌め込み固定される。
２２  運転中にＶベルトの摩擦によりプーリーの接触面が削られ不揃いになった状態。
２３  Ｖプーリーの溝の磨耗した測定数値と溝の摩耗箇所を記入する書き込みスペース。
２４  測定対象の溝の磨耗したＶプーリー。
２５  回転体のシャフト。
【図１】
2014032165.tif 000003
【図２】
2014032165.tif 000004
【図３】
2014032165.tif 000005
【図４】
2014032165.tif 000006
【図５】
2014032165.tif 000007
【図６】
2014032165.tif 000008